(57)【要約】      （修正有）【課題】階段現象を緩和し、滑らかな映像を与えることができる表示装置およびその駆動方法を提供する。【解決手段】表示装置の駆動方法は、信号制御部が第１フレームの入力映像データの垂直解像度を１／ｋ（ｋは自然数）に圧縮する、あるいは垂直解像度が１／ｋに圧縮された入力映像データを受信し処理して出力映像データを生成する段階と、データ駆動部が出力映像データに基づいてデータ電圧を生成してデータ線に印加する段階と、ゲート駆動部が出力映像データの各映像データに対応してｋ個の隣接のゲート線にゲートオン電圧パルスを印加する段階とを含む。第１フレームにおいて、ｋ個の隣接のゲート線のうちの少なくとも二つのゲート線にゲートオン電圧パルスが印加され始める時点は互いに異なる。【選択図】図８
2016110115.tif 000002
【特許請求の範囲】
【請求項１】
複数のゲート線、複数のデータ線、前記ゲート線の少なくとも一つ、および前記データ線の少なくとも一つに接続されている少なくとも一つのスイッチング素子を含む複数の画素、データ駆動部、ゲート駆動部、前記データ駆動部および前記ゲート駆動部を制御する信号制御部を含む表示装置において、
前記信号制御部が第１フレームの入力映像データの垂直解像度を１／ｋ（ｋは自然数）に圧縮する、あるいは垂直解像度が１／ｋに圧縮された入力映像データを受信し処理して出力映像データを生成し、
前記データ駆動部が前記出力映像データに基づいてデータ電圧を生成して前記データ線に印加し、
前記ゲート駆動部が前記出力映像データの各映像データに対応してｋ個の隣接のゲート線にゲートオン電圧パルスを印加する段階と
を含み、
前記第１フレームにおいて、前記ｋ個の隣接のゲート線のうちの少なくとも二つのゲート線に前記ゲートオン電圧パルスが印加され始める時点は互いに異なることを特徴とする表示装置の駆動方法。
【請求項２】
前記出力映像データは、連続して出力される第１出力映像データおよび第２出力映像データを含み、
前記第１出力映像データに対応して前記ゲートオン電圧パルスを伝達する前記ｋ個の隣接のゲート線は、第１ゲート線および第２ゲート線を含み、
前記第２出力映像データに対応して前記ゲートオン電圧パルスを伝達する前記ｋ個の隣接のゲート線は、第３ゲート線および第４ゲート線を含み、
前記第２ゲート線に前記ゲートオン電圧パルスが印加され始める時点は、前記第１ゲート線に前記ゲートオン電圧パルスが印加され始める時点と、前記第３ゲート線に前記ゲートオン電圧パルスが印加され始める時点との間に位置することを特徴とする請求項１に記載の表示装置の駆動方法。
【請求項３】
前記第１ゲート線は、前記第１出力映像データの出力時期に同期して前記ゲートオン電圧パルスを伝達し、
前記第３ゲート線は、前記第２出力映像データの出力時期に同期して前記ゲートオン電圧パルスを伝達することを特徴とする請求項２に記載の表示装置の駆動方法。
【請求項４】
前記出力映像データは、奇数行圧縮データまたは奇数行補間圧縮データを含み、
前記奇数行圧縮データは、前記入力映像データの奇数行を抽出して生成され、
前記奇数行補間圧縮データは、前記奇数行直前の偶数行の前記入力映像データと前記奇数行直後の偶数行の前記入力映像データを補間して生成されることを特徴とする請求項３に記載の表示装置の駆動方法。
【請求項５】
前記第１フレームと交互になっている第２フレームにおいて、前記複数のゲート線のうちの一番目ゲート線に前記ゲートオン電圧パルスが印加される期間は、前記第１フレームと前記第２フレームの間の垂直ブランク期間と重畳することを特徴とする請求項３に記載の表示装置の駆動方法。
【請求項６】
前記第１フレームにおいて、前記出力映像データは、奇数行圧縮データまたは奇数行補間圧縮データを含み、
前記第２フレームにおいて、前記出力映像データは、偶数行圧縮データまたは偶数行補間圧縮データを含み、
前記奇数行圧縮データは、前記入力映像データの奇数行データを抽出して生成され、
前記奇数行補間圧縮データは、前記奇数行直前の偶数行の前記入力映像データと前記奇数行直後の偶数行の前記入力映像データを補間して生成され、
前記偶数行圧縮データは、前記入力映像データの偶数行データを抽出して生成され、
前記偶数行補間圧縮データは、前記偶数行直前の奇数行の前記入力映像データと前記偶数行直後の奇数行の前記入力映像データを補間して生成されることを特徴とする請求項５に記載の表示装置の駆動方法。
【請求項７】
前記第２ゲート線に印加される前記ゲートオン電圧パルスと前記第１ゲート線に印加される前記ゲートオン電圧パルスの重畳期間の長さは、隣接のフレームで互いに異なることを特徴とする請求項３に記載の表示装置の駆動方法。
【請求項８】
前記出力映像データは、奇数行圧縮データまたは奇数行補間圧縮データを含み、
前記奇数行圧縮データは、前記入力映像データの奇数行を抽出して生成され、
前記奇数行補間圧縮データは、前記奇数行直前の偶数行の前記入力映像データと前記奇数行直後の偶数行の前記入力映像データを補間して生成されることを特徴とする請求項７に記載の表示装置の駆動方法。
【請求項９】
前記第１フレームでの前記入力映像データは、第１視点点に対する映像データを含み、
前記第１フレームの次の第２フレームでの前記入力映像データは、前記第１視点と異なる第２視点に対する映像データを含むことを特徴とする請求項１に記載の表示装置の駆動方法。
【請求項１０】
前記第１フレームでの前記入力映像データおよび前記第１フレームの次の第２フレームでの前記入力映像データは全て同一の視点に対する映像データを含むことを特徴とする請求項１に記載の表示装置の駆動方法。
【請求項１１】
複数のゲート線および複数のデータ線と、
前記ゲート線の少なくとも一つ、および前記データ線の少なくとも一つに接続されている少なくとも一つのスイッチング素子を含む複数の画素と、
第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、
前記出力映像データに基づいてデータ電圧を生成して前記データ線に印加するデータ駆動部と、
前記出力映像データの各映像データに対応してｋ個の隣接のゲート線にゲートオン電圧パルスを印加するゲート駆動部と
を含み、
前記第１フレームにおいて、前記ｋ個の隣接のゲート線のうちの少なくとも二つのゲート線に前記ゲートオン電圧パルスが印加され始める時点は互いに異なることを特徴とする表示装置。
【請求項１２】
複数のゲート線および複数のデータ線と、
前記ゲート線の少なくとも一つ、および前記データ線の少なくとも一つに接続されている少なくとも一つのスイッチング素子を含む複数の画素と、
第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、
前記出力映像データに基づいてデータ電圧を生成して前記データ線に印加するデータ駆動部と、
前記出力映像データの各映像データに対応してｋ個の隣接のゲート線にゲートオン電圧パルスを印加するゲート駆動部と
を含み、
前記ｋ個の隣接のゲート線の位置が隣接のフレームで互いに異なることを特徴とする表示装置。
【請求項１３】
複数のゲート線および複数のデータ線と、
前記ゲート線の少なくとも一つ、および前記データ線の少なくとも一つに接続されている少なくとも一つのスイッチング素子を含む複数の画素と、
第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、
前記出力映像データに基づいてデータ電圧を生成して前記データ線に印加するデータ駆動部と、
前記出力映像データの各映像データに対応してｋ個の隣接のゲート線にゲートオン電圧パルスを印加するゲート駆動部と
を含み、
前記第１フレームの前記出力映像データは前記第２フレームの前記出力映像データと異なる方式で生成されることを特徴とする表示装置。
【発明の詳細な説明】
【技術分野】
【０００１】
本発明は、表示装置およびその駆動方法に関するものである。
【背景技術】
【０００２】
液晶表示装置（ＬＣＤ：ｌｉｑｕｉｄ  ｃｒｙｓｔａｌ  ｄｉｓｐｌａｙ）、有機発光表示装置（ｏｒｇａｎｉｃ  ｌｉｇｈｔ  ｅｍｉｔｔｉｎｇ  ｄｉｏｄｅ  ｄｉｓｐｌａｙ）などの表示装置は、一般に表示板と、表示板を駆動するための駆動装置を含む。表示板は、複数の信号線と、これに接続され、ほぼ行列形態に配列された複数の画素を含む。信号線は、ゲート信号を伝達する複数のゲート線と、データ電圧を伝達する複数のデータ線などを含む。各画素は、該当ゲート線および該当データ線と接続されている少なくとも一つのスイッチング素子、およびこれに接続された少なくとも一つの画素電極、そして画素電極と対向し共通電圧の印加を受ける対向電極を含むことができる。
【０００３】
スイッチング素子は、少なくとも一つの薄膜トランジスタを含むことができ、ゲート線が伝達するゲート信号によってターンオンまたはターンオフされ、データ線が伝達するデータ電圧を選択的に画素電極に伝達することができる。各画素は、スイッチング素子を通じて所望の輝度情報に対応するデータ電圧の印加を受ける。画素に印加されたデータ電圧は対向電極に印加される共通電圧との差によって画素電圧として示され、画素電圧によって各画素は映像信号の階調が示す輝度を表示する。
【０００４】
表示装置の駆動装置は、グラフィック制御部、駆動部および駆動部を制御する信号制御部を含む。グラフィック制御部は、表示する映像に対する入力映像データを信号制御部に伝送する。入力映像データは各画素の輝度情報を含んでおり、各輝度は定められた数を有している。信号制御部は、表示板を駆動するための制御信号を生成して映像データと共に駆動部に伝送する。駆動部は、ゲート信号を生成するゲート駆動部、およびデータ電圧を生成するデータ駆動部を含む。
【０００５】
画素が目標とする輝度の映像を適時に表示するためには画素の充電率が確保されなければならず、そのためにゲートダブリング（ｇａｔｅ  ｄｏｕｂｌｉｎｇ）技術を用いることができる。ゲートダブリングは、全ての行の映像データを出力せず圧縮された映像データを出力し、二つ以上のゲート線を少なくとも一部の時間に同時に駆動してフレームレートを二倍以上にすることができる。したがって同一の入力映像データに対して出力映像データを連続して数回表示板に入力できるため、画素の応答速度を高め隣接のフレーム間のクロストークを減らすことができる。しかし、圧縮映像データを出力するので垂直解像度が低下することがある。
【０００６】
ゲートダブリング駆動は、２次元映像表示だけでなく３次元映像またはマルチビュー映像表示にも用いることができる。一般に、３次元映像表示技術では、近距離で立体感を認識するための最も大きい要因である両眼視差（ｂｉｎｏｃｕｌａｒ  ｐａｒａｌｌａｘ）を用いて物体の立体感を表現する。即ち、左の目（左眼）と右の目（右眼）にはそれぞれ互いに異なる２次元映像が映され、左眼に映される映像（以下、「左眼映像（ｌｅｆｔ  ｅｙｅ  ｉｍａｇｅ）」という）と右眼に映される映像（以下、「右眼映像（ｒｉｇｈｔ  ｅｙｅ  ｉｍａｇｅ）」という）が脳に伝達されると、左眼映像と右眼映像は脳で融合され奥行き感（ｄｅｐｔｈ  ｐｅｒｃｅｐｔｉｏｎ）または立体感を有する３次元映像として認識される。
【０００７】
３次元映像を表示できる表示装置はこのような両眼視差を用いるものであって、シャッターメガネ（ｓｈｕｔｔｅｒ  ｇｌａｓｓｅｓ）、偏光眼鏡（ｐｏｌａｒｉｚｅｄ  ｇｌａｓｓｅｓ）などの眼鏡を使用する眼鏡式（ｓｔｅｒｅｏｓｃｏｐｉｃ）３次元映像表示装置と、眼鏡を使用せず表示装置にレンチキュラーレンズ（ｌｅｎｔｉｃｕｌａｒ  ｌｅｎｓ）、パララックスバリア（ｐａｒａｌｌａｘ  ｂａｒｒｉｅｒ）などの光学系を配置する無眼鏡式（ａｕｔｏｓｔｅｒｅｏｓｃｏｐｉｃ）３次元映像表示装置がある。
【０００８】
シャッターメガネなどを使用する眼鏡式３次元映像表示装置が３次元映像を表示する時、左眼映像表示フレームと右眼映像表示フレームが分離され交互に表示されるので、隣接のフレーム間のクロストークが大きくなることがある。この場合、ゲートダブリング駆動方式で表示板を駆動すれば、さらに速いフレームレートで同一の映像データを繰り返して表示板に入力することができるので、画素の応答速度が速くなり隣接のフレーム間のクロストークを低減することができる。これは３次元映像表示装置だけでなく複数の時点の観察者に互いに異なる映像を表示するマルチビュー表示装置の場合にも同様に適用できる。
【発明の概要】
【発明が解決しようとする課題】
【０００９】
ゲートダブリング駆動時、表示板に出力される出力映像データの垂直解像度はゲートダブリングしない場合の出力映像データの垂直解像度のほぼ１／２またはその以下であることがある。したがって、ある形状の周縁が円のような曲線や斜線からなる場合、当該映像の周縁が滑らかに見えず、鋸歯状のようにギザギザに見えることがある。これをエイリアシングまたは階段現象（ａｌｉａｓｉｎｇ）という。このような階段現象は１フレームの映像の解像度が低下して見える重要な要因になり、映像の品質を低下させる。
【００１０】
本発明が解決しようとする課題は、ゲートダブリング駆動時に垂直解像度が低くなることによって発生する階段現象を緩和し映像の周縁を滑らかにすることである。また、より多くの情報の映像データを表示して解像度劣化を抑制することができる表示装置およびその駆動方法を提供することである。
【課題を解決するための手段】
【００１１】
本発明の一実施形態による表示装置の駆動方法は、複数のゲート線、複数のデータ線、前記ゲート線および前記データ線に接続されているスイッチング素子を含む複数の画素、データ駆動部、ゲート駆動部、そして前記データ駆動部および前記ゲート駆動部を制御する信号制御部を含む表示装置において、前記信号制御部が第１フレームの入力映像データの垂直解像度を１／ｋ（ｋは自然数）に圧縮する、あるいは垂直解像度が１／ｋに圧縮された入力映像データを受信し処理して出力映像データを生成する段階と、前記データ駆動部が前記出力映像データに基づいてデータ電圧を生成して前記データ線に印加する段階と、前記ゲート駆動部が前記出力映像データの各映像データに対応してｋ個の隣接のゲート線にゲートオン電圧パルスを印加する段階とを含み、前記第１フレームにおいて、前記ｋ個の隣接のゲート線のうちの少なくとも二つのゲート線に前記ゲートオン電圧パルスが印加され始める時点は互いに異なる。
【００１２】
前記出力映像データは連続して出力される第１出力映像データおよび第２出力映像データを含み、前記第１出力映像データに対応して前記ゲートオン電圧パルスを伝達する前記ｋ個の隣接のゲート線は第１ゲート線および第２ゲート線を含み、前記第２出力映像データに対応して前記ゲートオン電圧パルスを伝達する前記ｋ個の隣接のゲート線は第３ゲート線および第４ゲート線を含み、前記第２ゲート線に前記ゲートオン電圧パルスが印加され始める時点は、前記第１ゲート線に前記ゲートオン電圧パルスが印加され始める時点と、前記第３ゲート線に前記ゲートオン電圧パルスが印加され始める時点との間に配置されてもよい。
【００１３】
前記第１ゲート線は前記第１出力映像データの出力時期に同期して前記ゲートオン電圧パルスを伝達し、前記第３ゲート線は前記第２出力映像データの出力時期に同期して前記ゲートオン電圧パルスを伝達してもよい。
【００１４】
前記出力映像データは奇数行圧縮データまたは奇数行補間圧縮データを含み、前記奇数行圧縮データは前記入力映像データの奇数行を抽出して生成され、前記奇数行補間圧縮データは前記奇数行直前の偶数行の前記入力映像データと前記奇数行直後の偶数行の前記入力映像データを補間して生成されてもよい。
【００１５】
前記第１フレームと交互になっている第２フレームにおいて、前記複数のゲート線のうちの一番目ゲート線に前記ゲートオン電圧パルスが印加される期間は、前記第１フレームと前記第２フレームの間の垂直ブランク期間と重畳してもよい。
【００１６】
前記第１フレームにおいて、前記出力映像データは奇数行圧縮データまたは奇数行補間圧縮データを含み、前記第２フレームにおいて、前記出力映像データは偶数行圧縮データまたは偶数行補間圧縮データを含み、前記奇数行圧縮データは前記入力映像データの奇数行データを抽出して生成され、前記奇数行補間圧縮データは前記奇数行直前の偶数行の前記入力映像データと前記奇数行直後の偶数行の前記入力映像データを補間して生成され、前記偶数行圧縮データは前記入力映像データの偶数行データを抽出して生成され、前記偶数行補間圧縮データは前記偶数行直前の奇数行の前記入力映像データと前記偶数行直後の奇数行の前記入力映像データを補間して生成されてもよい。
【００１７】
前記第２ゲート線に印加される前記ゲートオン電圧パルスと前記第１ゲート線に印加される前記ゲートオン電圧パルスの重畳期間の長さは、隣接のフレームで互いに異なってもよい。
【００１８】
前記出力映像データは奇数行圧縮データ、あるいは奇数行補間圧縮データを含んでもよい。前記奇数行圧縮データは前記画素の一つの奇数行に対応する前記入力映像データを抽出することで生成してもよい。前記奇数行補間圧縮データは、前記奇数行直前の偶数行の画素に対応する前記入力映像データと、前記奇数行直後の偶数行に対応する前記入力映像データを補間して生成されてもよい。
【００１９】
前記第１フレームでの前記入力映像データは第１視点に対する映像データを含み、前記第１フレームの次の第２フレームでの前記入力映像データは前記第１視点と異なる第２視点に対する映像データを含んでもよい。
【００２０】
前記第１フレームでの前記入力映像データおよび前記第１フレームの次の第２フレームでの前記入力映像データは全て同一の視点に対する映像データを含んでもよい。
【００２１】
本発明の一実施形態による表示装置の駆動方法は、複数のゲート線、複数のデータ線、前記ゲート線および前記データ線に接続されているスイッチング素子を含む複数の画素、データ駆動部、ゲート駆動部、そして前記データ駆動部および前記ゲート駆動部を制御する信号制御部を含む表示装置において、前記信号制御部が１フレームの入力映像データの垂直解像度を１／ｋ（ｋは自然数）に圧縮する、あるいは垂直解像度が１／ｋに圧縮された入力映像データを受信し処理して出力映像データを生成する段階と、前記データ駆動部が前記出力映像データに基づいてデータ電圧を生成して前記データ線に印加する段階と、前記ゲート駆動部が前記出力映像データの各映像データに対応してｋ個の隣接のゲート線にゲートオン電圧パルスを印加する段階とを含み、前記ｋ個の隣接のゲート線の位置が隣接のフレームで互いに異なる。
【００２２】
前記出力映像データは連続して出力される第１出力映像データおよび第２出力映像データを含み、第１フレームにおいて、前記第１出力映像データに対応して前記ゲートオン電圧パルスを伝達する前記ｋ個の隣接のゲート線は第１ゲート線および第２ゲート線を含み、前記第１フレームにおいて、前記第２出力映像データに対応して前記ゲートオン電圧パルスを伝達する前記ｋ個の隣接のゲート線は第３ゲート線および第４ゲート線を含み、前記第１フレームの次の第２フレームにおいて、前記第１出力映像データに対応して前記ゲートオン電圧パルスを伝達する前記ｋ個の隣接のゲート線は前記第１ゲート線を含み、前記第２フレームにおいて、前記第２出力映像データに対応して前記ゲートオン電圧パルスを伝達する前記ｋ個の隣接のゲート線は前記第２ゲート線および前記第３ゲート線を含んでもよい。
【００２３】
前記第１フレームにおいて、前記第１ゲート線および前記第２ゲート線は前記第１出力映像データの出力時期に同期して前記ゲートオン電圧パルスを伝達し、前記第１フレームにおいて、前記第３ゲート線および前記第４ゲート線は前記第２出力映像データの出力時期に同期して前記ゲートオン電圧パルスを伝達してもよい。
【００２４】
前記第２フレームにおいて、前記第１ゲート線は前記第１出力映像データの出力時期に同期して前記ゲートオン電圧パルスを伝達し、前記第２フレームにおいて、前記第２ゲート線および前記第３ゲート線は前記第２出力映像データの出力時期に同期して前記ゲートオン電圧パルスを伝達してもよい。
【００２５】
前記出力映像データは奇数行圧縮データまたは奇数行補間圧縮データを含み、前記奇数行圧縮データは前記入力映像データの奇数行を抽出して生成され、前記奇数行補間圧縮データは前記奇数行直前の偶数行の前記入力映像データと前記奇数行直後の偶数行の前記入力映像データを補間して生成されてもよい。
【００２６】
前記第１フレームにおいて、前記出力映像データは奇数行圧縮データまたは奇数行補間圧縮データを含み、前記第２フレームにおいて、前記出力映像データは偶数行圧縮データまたは偶数行補間圧縮データを含み、前記奇数行圧縮データは前記入力映像データの奇数行データを抽出して生成され、前記奇数行補間圧縮データは前記奇数行直前の偶数行の前記入力映像データと前記奇数行直後の偶数行の前記入力映像データを補間して生成され、前記偶数行圧縮データは前記入力映像データの偶数行データを抽出して生成され、前記偶数行補間圧縮データは前記偶数行直前の奇数行の前記入力映像データと前記偶数行直後の奇数行の前記入力映像データを補間して生成されてもよい。
【００２７】
前記第２フレームにおいて、前記複数のゲート線のうちの一番目ゲート線に前記ゲートオン電圧パルスが印加される期間は、前記第１フレームと前記第２フレームの間の垂直ブランク期間と重畳してもよい。
【００２８】
第１フレームでの前記入力映像データは第１視点に対する映像データを含み、前記第１フレームの次の第２フレームでの前記入力映像データは前記第１視点と異なる第２視点に対する映像データを含んでもよい。
【００２９】
第１フレームでの前記入力映像データおよび前記第１フレームの次の第２フレームでの前記入力映像データは、全て同一の視点に対する映像データを含んでもよい。
【００３０】
本発明の一実施形態による表示装置の駆動方法は、複数のゲート線、複数のデータ線、前記ゲート線および前記データ線に接続されているスイッチング素子を含む複数の画素、データ駆動部、ゲート駆動部、そして前記データ駆動部および前記ゲート駆動部を制御する信号制御部を含む表示装置において、前記信号制御部が第１フレームの入力映像データの垂直解像度を１／ｋ（ｋは自然数）に圧縮する、あるいは垂直解像度が１／ｋに圧縮された入力映像データを受信し処理して出力映像データを生成する段階と、前記信号制御部が前記第１フレームと交互になっている第２フレームの入力映像データの垂直解像度を１／ｋに圧縮する、あるいは垂直解像度が１／ｋに圧縮された入力映像データを受信し処理して出力映像データを生成する段階と、前記データ駆動部が前記出力映像データに基づいてデータ電圧を生成して前記データ線に印加する段階と、前記ゲート駆動部が前記出力映像データの各映像データに対応してｋ個の隣接のゲート線にゲートオン電圧パルスを印加する段階とを含み、前記第１フレームの前記出力映像データは前記第２フレームの前記出力映像データと異なる方式で生成される。
【００３１】
前記出力映像データは連続して出力される第１出力映像データおよび第２出力映像データを含み、前記第１フレームおよび前記第２フレームにおいて、前記第１出力映像データに対応して前記ゲートオン電圧パルスを伝達する前記ｋ個の隣接のゲート線は第１ゲート線および第２ゲート線を含み、前記第１フレームおよび前記第２フレームにおいて、前記第２出力映像データに対応して前記ゲートオン電圧パルスを伝達する前記ｋ個の隣接のゲート線は第３ゲート線および第４ゲート線を含んでもよい。
【００３２】
前記ゲートオン電圧パルスは、前記第１、第２、第３、第４ゲート線にそれぞれ対応する第１、第２、第３、第４ゲートオン電圧パルスを含んでもよい。前記第１フレームおよび前記第２フレームにおいて、前記第１ゲート線および前記第２ゲート線は前記第１出力映像データの出力時期に同期して前記ゲートオン電圧パルスを伝達し、前記第１フレームおよび前記第２フレームにおいて、前記第３ゲート線および前記第４ゲート線は前記第２出力映像データの出力時期に同期して前記ゲートオン電圧パルスを伝達してもよい。
【００３３】
前記第１フレームの前記出力映像データは奇数行圧縮データまたは奇数行補間圧縮データを含み、前記第２フレームの前記出力映像データは偶数行圧縮データまたは偶数行補間圧縮データを含み、前記奇数行圧縮データは前記入力映像データの奇数行データを抽出して生成され、前記奇数行補間圧縮データは前記奇数行直前の偶数行の前記入力映像データと前記奇数行直後の偶数行の前記入力映像データを補間して生成され、前記偶数行圧縮データは前記入力映像データの偶数行データを抽出して生成され、前記偶数行補間圧縮データは前記偶数行直前の奇数行の前記入力映像データと前記偶数行直後の奇数行の前記入力映像データを補間して生成されてもよい。
【００３４】
本発明の一実施形態による表示装置は、複数のゲート線および複数のデータ線と、前記ゲート線および前記データ線に接続されているスイッチング素子を含む複数の画素と、第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、前記出力映像データに基づいてデータ電圧を生成して前記データ線に印加するデータ駆動部と、前記出力映像データの各映像データに対応してｋ個の隣接のゲート線にゲートオン電圧パルスを印加するゲート駆動部とを含み、前記第１フレームにおいて、前記ｋ個の隣接のゲート線のうちの少なくとも二つのゲート線に前記ゲートオン電圧パルスが印加され始める時点は互いに異なる。
【００３５】
本発明の一実施形態による表示装置は、複数のゲート線および複数のデータ線と、前記ゲート線および前記データ線に接続されているスイッチング素子を含む複数の画素と、第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、前記出力映像データに基づいてデータ電圧を生成して前記データ線に印加するデータ駆動部と、前記出力映像データの各映像データに対応してｋ個の隣接のゲート線にゲートオン電圧パルスを印加するゲート駆動部とを含み、前記ｋ個の隣接のゲート線の位置が隣接のフレームで互いに異なる。
【００３６】
本発明の一実施形態による表示装置は、複数のゲート線および複数のデータ線と、前記ゲート線および前記データ線に接続されているスイッチング素子を含む複数の画素と、第１フレームの入力映像データの垂直解像度を１／ｋ（ｋは自然数）に圧縮する、あるいは垂直解像度が１／ｋに圧縮された入力映像データを受信し処理して出力映像データを生成する信号制御部と、前記出力映像データに基づいてデータ電圧を生成して前記データ線に印加するデータ駆動部と、前記出力映像データの各映像データに対応してｋ個の隣接のゲート線にゲートオン電圧パルスを印加するゲート駆動部とを含み、前記第１フレームの前記出力映像データは前記第２フレームの前記出力映像データと異なる方式で生成される。
【発明の効果】
【００３７】
本発明の実施形態によれば、表示装置をゲートダブリング駆動する時に垂直解像度が低くなることによって発生する階段現象を緩和し、映像の周縁が滑らかに見えるようにすることができ、より多くの情報の映像データを表示して解像度劣化を抑制することができる。
【図面の簡単な説明】
【００３８】
【図１】本発明の一実施形態による表示装置のブロック図である。
【図２】本発明の一実施形態による表示装置をゲートダブリング駆動する時、隣接のフレームで各ゲート線に接続された画素に印加される出力映像データを示す表である。
【図３】本発明の一実施形態による表示装置をゲートダブリング駆動する時、隣接のフレームで表示板に出力される出力映像データおよびゲート信号のタイミング図である。
【図４】本発明の一実施形態による表示装置に入力される入力映像データを示す図である。
【図５】本発明の一実施形態による表示装置の駆動方法によって隣接のフレームで表示される映像およびその時間平均で見える映像を示す図である。
【図６】本発明の一実施形態による表示装置をゲートダブリング駆動する時、隣接のフレームで各ゲート線に接続された画素に印加される出力映像データを示す表である。
【図７】本発明の一実施形態による表示装置をゲートダブリング駆動する時、隣接のフレームで表示板に出力される出力映像データおよびゲート信号のタイミング図である。
【図８】本発明の一実施形態による表示装置をゲートダブリング駆動する時、１フレームの間に表示板に出力される出力映像データおよびゲート信号のタイミング図である。
【図９】本発明の一実施形態による表示装置に入力される入力映像データおよび本発明の一実施形態による表示装置の駆動方法によって表示される映像を示す図である。
【図１０】本発明の一実施形態による表示装置の画素に印加される電圧による輝度変化を示すグラフである。
【図１１】本発明の一実施形態による表示装置の画素が直前フレームでブラック階調を表示した後にホワイト階調の映像データに対する電圧の印加を受ける時の充電電圧の時間依存性を示すグラフである。
【図１２】本発明の一実施形態による表示装置の画素が直前フレームでホワイト階調を表示した後にブラック階調の映像データに対する電圧の印加を受ける時の充電電圧の時間依存性を示すグラフである。
【図１３】本発明の一実施形態による表示装置をゲートダブリング駆動する時、隣接のフレームで各ゲート線に接続された画素に印加される出力映像データを示す表である。
【図１４】本発明の一実施形態による表示装置をゲートダブリング駆動する時、隣接のフレームで表示板に出力される出力映像データおよびゲート信号のタイミング図である。
【図１５】本発明の一実施形態による表示装置をゲートダブリング駆動する時、隣接のフレームで表示板に出力される出力映像データおよびゲート信号のタイミング図である。
【図１６】図１３乃至図１５のゲートダブリング駆動される表示装置に入力される入力映像データを示す図である。
【図１７】本発明の一実施形態による表示装置の駆動方法によって隣接のフレームで表示される映像およびその時間平均で見える映像を示す図である。
【図１８】本発明の一実施形態による表示装置をゲートダブリング駆動する時、隣接のフレームで各ゲート線に接続された画素に印加される出力映像データを示す表である。
【図１９】本発明の一実施形態による表示装置をゲートダブリング駆動する時、隣接のフレームで表示板に出力される出力映像データおよびゲート信号のタイミング図である。
【図２０】本発明の一実施形態による表示装置をゲートダブリング駆動する時、隣接のフレームで表示板に出力される出力映像データおよびゲート信号のタイミング図である。
【図２１】本発明の一実施形態による表示装置の駆動方法によって隣接のフレームで表示される映像およびその時間平均で見える映像を示す図である。
【図２２】本発明の一実施形態による表示装置をゲートダブリング駆動する時、隣接のフレームで各ゲート線に接続された画素に印加される出力映像データを示す表である。
【図２３】本発明の一実施形態による表示装置をゲートダブリング駆動する時、隣接のフレームで表示板に出力される出力映像データおよびゲート信号のタイミング図である。
【図２４】本発明の一実施形態による表示装置をゲートダブリング駆動する時、隣接のフレームで表示板に出力される出力映像データおよびゲート信号のタイミング図である。
【図２５】本発明の一実施形態による表示装置の駆動方法によって隣接のフレームで表示される映像およびその時間平均で見える映像を示す図である。
【図２６】本発明の一実施形態による表示装置をゲートダブリング駆動する時、隣接のフレームで各ゲート線に接続された画素に印加される出力映像データを示す表である。
【図２７】本発明の一実施形態による表示装置をゲートダブリング駆動する時、隣接のフレームで表示板に出力される出力映像データおよびゲート信号のタイミング図である。
【図２８】本発明の一実施形態による表示装置をゲートダブリング駆動する時、隣接のフレームで表示板に出力される出力映像データおよびゲート信号のタイミング図である。
【図２９】本発明の一実施形態による表示装置をゲートダブリング駆動する時、隣接のフレームで表示板に出力される出力映像データおよびゲート信号のタイミング図である。
【図３０】本発明の一実施形態による表示装置のブロック図である
【図３１】本発明の一実施形態による表示装置が眼鏡を用いて立体映像を表示する方法を示した図である。
【発明を実施するための形態】
【００３９】
以下、添付した図面を参照して本発明の実施形態について、本発明の属する技術分野における通常の知識を有する者が容易に実施できるように詳しく説明する。しかし、本発明は様々な形態に実現でき、ここで説明する実施形態に限定されない。
【００４０】
図面で複数の層および領域を明確に表現するために厚さを拡大して示した。明細書全体にわたって類似の部分については同一図面符号を付けた。層、膜、領域、板などの部分が他の部分の「上」にあるという時、これは他の部分の「直上」にある場合だけでなく、その中間にまた他の部分がある場合も含む。逆に、ある部分が他の部分の「直上」にあるという時には中間に他の部分がないことを意味する。
【００４１】
明細書全体で、ある部分が他の部分と「接続」されているという時、これは「直接的に接続」されている場合だけでなく、その中間に他の素子を挟んで「電気的に接続」されている場合も含む。また、ある部分がある構成要素を「含む」という時、これは特に反対になる記載がない限り他の構成要素を除くのではなく、他の構成要素をさらに含むことができるのを意味する。
まず、図１乃至図５を参照して本発明の一実施形態による表示装置およびその駆動方法について説明する。
【００４２】
図１に示すように、本発明の一実施形態による表示装置１は、表示板（ｄｉｓｐｌａｙ  ｐａｎｅｌ）３００、表示板３００に接続されたゲート駆動部４００およびデータ駆動部５００、そして信号制御部６００を含む。表示板３００は、等価回路から見る時、複数の信号線とこれに接続されている複数の画素ＰＸを含む。複数の画素ＰＸはほぼ行列形態に配列されていてもよい。本発明の一実施形態による表示装置が液晶表示装置である場合、表示板３００は少なくとも一つの基板と密封されている液晶層（図示せず）を含んでもよい。
【００４３】
信号線は、ゲート信号を伝達する複数のゲート線Ｇ１−Ｇｎと、データ電圧Ｖｄを伝達する複数のデータ線Ｄ１−Ｄｍを含む。ゲート線Ｇ１−Ｇｎは行方向に伸び、データ線Ｄ１−Ｄｍは列方向に伸びてもよい。
【００４４】
画素ＰＸは、データ線Ｄ１−Ｄｍのうち少なくとも一つ、およびゲート線Ｇ１−Ｇｎのうち少なくとも一つに接続されている少なくとも一つのスイッチング素子（図示せず）、およびこれに接続された少なくとも一つの画素電極（図示せず）を含んでもよい。スイッチング素子は少なくとも一つの薄膜トランジスタを含んでもよく、ゲート線Ｇ１−Ｇｎのうち少なくとも一つが伝達するゲート信号によって制御され、データ線Ｄ１−Ｄｍのうち少なくとも一つが伝達するデータ電圧Ｖｄを画素電極に伝達できる。
【００４５】
各画素ＰＸは、色の再現のために、基本色（ｐｒｉｍａｒｙ  ｃｏｌｏｒ）のうちの一つを表示するか（空間分割）、各画素ＰＸが時間によって交互に基本色を表示し（時間分割）、これら基本色の空間的、時間的合計で所望の色が認識されるようにすることができる。
【００４６】
信号制御部６００は、グラフィック制御部などの外部から入力映像データＩＤＡＴおよび入力制御信号ＩＣＯＮを受信し表示板３００の駆動を制御する。入力映像データＩＤＡＴは輝度（ｌｕｍｉｎａｎｃｅ）情報を含んでおり、輝度は定められた数の階調（ｇｒａｙ）を有してもよい。入力制御信号ＩＣＯＮは、映像表示と関連して垂直同期信号Ｖｓｙｎｃ、水平同期信号Ｈｓｙｎｃ、メインクロックＭＣＬＫ、データイネーブル信号ＤＥなどを含んでもよい。本発明の他の実施形態によれば、入力制御信号ＩＣＯＮはフレームレート情報をさらに含んでもよい。
【００４７】
信号制御部６００は入力映像データＩＤＡＴと入力制御信号ＩＣＯＮに基づいて入力映像データＩＤＡＴを表示板３００の動作条件に合うように適切に処理して出力映像データＤＡＴを生成し、ゲート制御信号ＣＯＮＴ１、データ制御信号ＣＯＮＴ２などを生成する。信号制御部６００はゲート制御信号ＣＯＮＴ１をゲート駆動部４００に伝達し、データ制御信号ＣＯＮＴ２および出力映像データＤＡＴをデータ駆動部５００に伝達する。
【００４８】
本発明の一実施形態による信号制御部６００はフレームレート制御部６５０をさらに含んでもよい。フレームレート制御部６５０は入力映像データＩＤＡＴに基づいてフレームレートを制御する。フレームレートは表示板３００が１秒に表示するフレーム数（「フレーム周波数」とも言う）と定義できる。信号制御部６００はフレームレート制御部６５０の判断結果によってゲート制御信号ＣＯＮＴ１、データ制御信号ＣＯＮＴ２などを生成することができる。信号制御部６００は、入力映像データＩＤＡＴをフレーム単位で保存できるフレームメモリ（ＦＭ）６６０をさらに含んでもよい。
【００４９】
ゲート駆動部４００はゲート線Ｇ１−Ｇｎに接続されている。ゲート駆動部４００は信号制御部６００からゲート制御信号ＣＯＮＴ１を受信し、これに基づいてゲートオン電圧Ｖｏｎとゲートオフ電圧Ｖｏｆｆの組み合わせからなるゲート信号をゲート線Ｇ１−Ｇｎのうちの少なくとも一つを単位（ｕｎｉｔ）として列方向に順に印加することができる。
【００５０】
ゲート駆動部４００は各出力映像データＤＡＴの出力時期に合わせてｋ個（ｋは２以上の自然数）の隣接のゲート線Ｇ１−Ｇｎを駆動してゲートオン電圧Ｖｏｎを少なくとも一部時間重畳するように印加し、該当ゲート線Ｇ１−Ｇｎに接続された画素ＰＸに該当出力映像データＤＡＴに対応するデータ電圧Ｖｄが印加されるようにすることができる。これをゲートダブリング駆動と言い、これによって画素ＰＸの正常な充電率を確保することができる。
【００５１】
ゲートダブリングと表現するが、必ずしも一対のゲート線を同時に駆動する方式に限定されず、三つ以上のゲート線を同時に駆動する方式も含む。これと比較して、ゲートダブリング駆動せず各ゲート線Ｇ１−Ｇｎを独立して駆動する方法はゲートダブリングオフ駆動という。各ゲート線Ｇ１−Ｇｎにゲートオン電圧Ｖｏｎが印加される時間はほぼ１水平周期（１  ｈｏｒｉｚｏｎｔａｌ  ｐｅｒｉｏｄ）であってもよいが、これに限定されず、一部重なっていてもよい。
【００５２】
ゲートダブリング駆動時、表示板３００全体のゲート線Ｇ１−Ｇｎにゲートオン電圧Ｖｏｎを順に印加するスキャニング時間がゲートダブリングオフ駆動時より１／ｋ、即ち、１／２、１／３などに減少でき、これによりフレームレートがｋ倍、即ち、２倍、３倍などに増加できる。これとは異なり、フレームレートを増加させず各ゲート線Ｇ１−Ｇｎに接続された画素の充電時間を増やして充電率を追加的に確保することもできる。
【００５３】
データ駆動部５００はデータ線Ｄ１−Ｄｍと接続されている。データ駆動部５００は信号制御部６００から出力映像データＤＡＴおよびデータ制御信号ＣＯＮＴ２を受信し、データ電圧Ｖｄを生成してこれをデータ線Ｄ１−Ｄｍに印加する。データ電圧Ｖｄは複数の階調電圧から選択できる。データ駆動部５００は全ての階調電圧を別途の階調電圧生成部（図示せず）から入力されてもよく、これとは異なり、限定された数の基準階調電圧のみの提供を受けてこれを分圧して全体階調に対する階調電圧を生成してもよい。
【００５４】
ゲートダブリング駆動時、隣接の２つ以上のゲート線Ｇ１−Ｇｎが少なくとも一部時間同時に駆動されてゲートオン電圧Ｖｏｎを伝達し、同時に駆動されるゲート線Ｇ１−Ｇｎに接続された画素ＰＸには同一のデータ電圧Ｖｄが印加される。
【００５５】
ゲートダブリング駆動時、信号制御部６００は入力映像データＩＤＡＴを垂直解像度が１／ｋ（ｋは自然数）になるように圧縮して出力映像データＤＡＴを生成するか、垂直解像度が１／ｋに圧縮された入力映像データＩＤＡＴの入力を受けこれを処理して出力映像データＤＡＴを生成することができる。
【００５６】
例えば、信号制御部６００は入力映像データＩＤＡＴの奇数行または偶数行のみ抽出して垂直解像度が１／２に圧縮された出力映像データＤＡＴを生成することができる。入力映像データＩＤＡＴの奇数行のみ抽出して生成された出力映像データＤＡＴを奇数行圧縮データと呼ぶ。入力映像データＩＤＡＴの偶数行のみ抽出して生成された出力映像データＤＡＴを偶数行圧縮データと呼ぶ。
【００５７】
これとは異なり、信号制御部６００は隣接の少なくとも二行の画素ＰＸに対応する入力映像データＩＤＡＴを平均などで補間して圧縮された出力映像データＤＡＴを生成することもできる。即ち、一つの奇数行に対する出力映像データＤＡＴはその以前の偶数行の入力映像データＩＤＡＴとその以後の偶数行の入力映像データＩＤＡＴの平均などの補間で求めることができ、これを奇数行補間圧縮データと呼ぶ。同様に、一つの偶数行に対する出力映像データＤＡＴはその以前の奇数行の入力映像データＩＤＡＴとその以後の奇数行の入力映像データＩＤＡＴの平均などの補間で求めることができ、これを偶数行補間圧縮データと呼ぶ。
【００５８】
本発明の他の実施形態によれば、信号制御部６００が全体解像度の入力映像データＩＤＡＴを圧縮して出力映像データＤＡＴを生成する代わりに、入力映像データＩＤＡＴ自体が圧縮された映像データを含んでもよく、この場合、信号制御部６００は圧縮された入力映像データＩＤＡＴを表示板３００およびデータ駆動部５００の条件に合うように適切に処理して出力映像データＤＡＴを生成することもできる。
【００５９】
図２および図３に示すように、本発明の一実施形態による表示装置１の駆動方法では、ゲートダブリング駆動時、奇数行圧縮データ（または奇数行補間圧縮データ）と偶数行圧縮データ（または偶数行補間圧縮データ）を交互にデータ駆動部５００に入力しそれによるデータ電圧Ｖｄを画素ＰＸに印加してもよい。
【００６０】
例えば、６個のゲート線Ｇ１〜Ｇ６に接続された画素ＰＸに対する入力映像データＩＤＡＴ＿Ｇ１、…、ＩＤＡＴ＿Ｇ６に対して、フレームＦ（Ｎ）では一対の隣接したゲート線Ｇ１〜Ｇ６に接続された画素行に同一の出力映像データＤＡＴ＿Ｇ１、ＤＡＴ＿Ｇ３、ＤＡＴ＿Ｇ５によるデータ電圧が印加されてもよい。この時、出力映像データＤＡＴ＿Ｇ１、ＤＡＴ＿Ｇ３、ＤＡＴ＿Ｇ５は入力映像データＩＤＡＴ＿Ｇ１、…、ＩＤＡＴ＿Ｇ６の奇数行圧縮データまたは奇数行補間圧縮データであってもよい。
【００６１】
例えば、図３に示すように、二つのゲート線Ｇ１、Ｇ２に接続された画素ＰＸには一番目行に対する出力映像データに対するデータ電圧が印加され、二つのゲート線Ｇ３、Ｇ４に接続された画素ＰＸには三番目行に対する出力映像データＤＡＴ＿Ｇ３に対するデータ電圧が印加されてもよい。出力映像データＤＡＴ＿Ｇ１、ＤＡＴ＿Ｇ３、ＤＡＴ＿Ｇ５に対応するデータ電圧の印加は、異なるデータ電圧を受け取る可能性のある全てのデータ線Ｄ１−Ｄｍに対して同時に行ってもよい。
【００６２】
その次のフレームＦ（Ｎ＋１）では、一対の隣接したゲート線Ｇ１〜Ｇ６に接続された画素行に同一の出力映像データＤＡＴ＿Ｇ２、ＤＡＴ＿Ｇ４、ＤＡＴ＿Ｇ６がデータ駆動部５００に出力されてもよい。この時、出力映像データＤＡＴ＿Ｇ２、ＤＡＴ＿Ｇ４、ＤＡＴ＿Ｇ６は、入力映像データＩＤＡＴ＿Ｇ１、…、ＩＤＡＴ＿Ｇ６の偶数行圧縮データまたは偶数行補間圧縮データであってもよい。
【００６３】
例えば、図３に示すように、二つのゲート線Ｇ１、Ｇ２に接続された画素ＰＸには二番目行に対する出力映像データＤＡＴ＿Ｇ２に対するデータ電圧が印加され、二つのゲート線Ｇ３、Ｇ４に接続された画素ＰＸには四番目行に対する出力映像データＤＡＴ＿Ｇ４に対するデータ電圧が印加されてもよい。
【００６４】
フレームＦ（Ｎ）は例えば奇数番目フレームであってもよく、以下ではフレームＦ（Ｎ）が奇数番目フレームである例を主に説明する。
【００６５】
このようにフレームＦ（Ｎ）とフレームＦ（Ｎ＋１）が交互になっていれば、各画素ＰＸに対して時間的に平均化された輝度の映像が観察される。例えば、一番目ゲート線Ｇ１に接続された画素ＰＸはフレームＦ（Ｎ）で印加を受けた出力映像データＤＡＴ＿Ｇ１に対するデータ電圧ＶｄとフレームＦ（Ｎ＋１）で印加を受けた出力映像データＤＡＴ＿Ｇ２に対するデータ電圧Ｖｄの時間的平均Ａｖｇ（ＤＡＴ＿Ｇ１、ＤＡＴ＿Ｇ２）の印加を受けたものと実質的に同一な輝度の映像を表示することができる。
【００６６】
図４に示したように、各ゲート線Ｇ１〜Ｇ６に接続された画素ＰＸに対応する入力映像データＩＤＡＴの階調の映像を例として挙げて説明する。円のような曲線や斜線を含む映像の周縁の境界がブラックとホワイトからなる場合、その境界が滑らかに見えず、鋸歯状のようにギザギザに見える階段現象（ａｌｉａｓｉｎｇ）が発生することがある。
【００６７】
しかし、図４に示した入力映像データＩＤＡＴに対して前述の図２および図４に示したゲートダブリング駆動方法によって映像を表示すれば、図５に示したように交互になっているフレームＦ（Ｎ）とフレームＦ（Ｎ＋１）の映像は時間的に平均化され（ＡＶＧ）、映像の周縁付近が背景映像の階調と該当映像の階調の中間階調として観察され、映像の周縁が階段のように見えることが緩和される階段現象緩和（ａｎｔｉ−ａｌｉａｓｉｎｇ）効果を得ることができる。この時、階段現象緩和効果は、図５に示したように、二つの画素ＰＸ単位で得ることができる。
【００６８】
このように、本発明の一実施形態によれば、交互になっているフレームの時間的平均を通じて、映像の境界を基準に互いに異なる階調のほぼ中間値に対応する輝度が認識され階段現象を緩和することができる。交互になっているフレームＦ（Ｎ）、Ｆ（Ｎ＋１）で表示される映像はそれぞれ奇数行圧縮データおよび偶数行圧縮データであるので、全体画素ＰＸの入力映像データＩＤＡＴを全て表示でき、高い解像度の映像を観察することができる。
【００６９】
次に、図６乃至図１２を参照して本発明の一実施形態による表示装置およびその駆動方法について説明する。本発明の一実施形態による表示装置およびその駆動方法は前述の実施形態による表示装置およびその駆動方法と大部分が同一であるので、同一の説明は省略し、差異点を中心に説明する。
【００７０】
図６乃至図８に示すように、本発明の一実施形態による表示装置の駆動方法では、１／ｋに圧縮された圧縮データ、例えば、奇数行圧縮データ（または奇数行補間圧縮データ）または偶数行圧縮データ（または偶数行補間圧縮データ）をデータ駆動部５００に入力し、それによるデータ電圧Ｖｄを画素ＰＸに印加することができる。本実施形態では奇数行圧縮データをデータ駆動部５００に出力する場合を例として挙げて説明する。
【００７１】
本発明の一実施形態による表示装置の駆動方法では、二つ以上の隣接したゲート線Ｇ１−Ｇｎを同時に駆動するゲートダブリング駆動を行うが、出力映像データＤＡＴ＿Ｇ１、…、ＤＡＴ＿Ｇ６の一つに対応してゲートオン電圧Ｖｏｎを伝達するｋ個の隣接したゲート線Ｇ１−Ｇｎのうちの少なくとも二つのゲート線Ｇ１−Ｇｎにゲートオン電圧Ｖｏｎが印加され始める時点は互いに異なってもよい。
【００７２】
さらに具体的には、出力映像データＤＡＴ＿Ｇ１、…、ＤＡＴ＿Ｇ６の一つに対応してゲートオン電圧Ｖｏｎを伝達するｋ個（ｋは２以上の自然数）のゲート線のうちの少なくとも一部に印加されるゲートオン電圧Ｖｏｎパルスの後または前への時間的移動（ｔｉｍｉｎｇ  ｓｈｉｆｔ）を通じて画素ＰＸに印加されるデータ電圧を補間（ｉｎｔｅｒｐｏｌａｔｉｏｎ）したような効果を得ることができる。この時、出力映像データＤＡＴ＿Ｇ１、…、ＤＡＴ＿Ｇ６の一つに対応してゲートオン電圧Ｖｏｎを伝達するｋ個の隣接したゲート線Ｇ１−Ｇｎのうちの少なくとも一つは、出力映像データＤＡＴ＿Ｇ１、…、ＤＡＴ＿Ｇ６の出力時期に同期してゲートオン電圧Ｖｏｎの印加を受けることができる。
【００７３】
例えば、図６および図７に示すように、６個のゲート線Ｇ１〜Ｇ６に接続された画素ＰＸに対する入力映像データＩＤＡＴ＿Ｇ１、…、ＩＤＡＴ＿Ｇ６に対して、奇数番目ゲート線Ｇ１、Ｇ３、…には出力映像データＤＡＴ＿Ｇ１、…、ＤＡＴ＿Ｇ６の出力時期に同期してゲートオン電圧Ｖｏｎが印加されてもよい。しかし、偶数番目ゲート線Ｇ２、Ｇ４、…に印加されるゲートオン電圧パルスは一般的なゲートダブリング駆動と異なり、直前奇数番目ゲート線Ｇ１、Ｇ３、…と同時に印加されず、時間的に後に移動しその直後奇数番目ゲート線Ｇ１、Ｇ３、…にゲートオン電圧Ｖｏｎが印加され始める時点以前に印加され始める。
【００７４】
即ち、偶数番目ゲート線Ｇ２、Ｇ４、…にゲートオン電圧Ｖｏｎが印加され始める時間は、真上の奇数番目ゲート線Ｇ１、Ｇ３、…にゲートオン電圧Ｖｏｎが印加され始める時点と真下の奇数番目ゲート線Ｇ１、Ｇ３、…にゲートオン電圧Ｖｏｎが印加され始める時点の間に配置されてもよい。
【００７５】
全てのゲート線Ｇ１−Ｇｎに印加されるゲートオン電圧Ｖｏｎのパルス幅は実質的に同一であってもよいが、これに限定されるのではない。本実施形態ではゲートオン電圧Ｖｏｎのパルス幅が一定した例を挙げて説明する。
【００７６】
したがって、図６乃至図８において、偶数番目ゲート線Ｇ２、Ｇ４、…に接続された画素ＰＸは、直前奇数番目画素行の画素ＰＸに対する出力映像データＤＡＴ＿Ｇ１、…ＤＡＴ＿Ｇ５のデータ電圧および直後奇数番目画素行の画素ＰＸに対する出力映像データＤＡＴ＿Ｇ１、…ＤＡＴ＿Ｇ５のデータ電圧を時間的に分割して印加を受けてもよい。この時、出力映像データＤＡＴ＿Ｇ１、ＤＡＴ＿Ｇ３、ＤＡＴ＿Ｇ５は、入力映像データＩＤＡＴ＿Ｇ１、…、ＩＤＡＴ＿Ｇ６の奇数行圧縮データまたは奇数行補間圧縮データであってもよい。
【００７７】
例えば、二番目ゲート線Ｇ２に接続された画素ＰＸは、一番目ゲート線Ｇ１に接続された画素ＰＸに対する出力映像データＤＡＴ＿Ｇ１および三番目ゲート線Ｇ３に接続された画素ＰＸに対する出力映像データＤＡＴ＿Ｇ３のデータ電圧Ｖｄを時間的に分割して印加を受けてもよい。したがって、二番目ゲート線Ｇ２に接続された画素ＰＸは、結局二つの出力映像データＤＡＴ＿Ｇ１、ＤＡＴ＿Ｇ３の間の値に対応するデータ電圧で充電されてもよい。即ち、二番目ゲート線Ｇ２に接続された画素ＰＸは二つの出力映像データＤＡＴ＿Ｇ１、ＤＡＴ＿Ｇ３を時間的補間を行った値に対応する輝度の映像を表示することができる。
【００７８】
図６では補間の例として時間的平均を例えばＡｖｇ（ＤＡＴ＿Ｇ１、ＤＡＴ＿Ｇ３）などと表示しているが、ゲート信号の時間的移動量によって二つの出力映像データＤＡＴ＿Ｇ１、ＤＡＴ＿Ｇ３の平均でない他の補間値であってもよい。
【００７９】
図８に示すように、偶数番目ゲート線Ｇ２、Ｇ４、…に印加されるゲートオン電圧パルスのうちの直前奇数番目ゲート線Ｇ１、Ｇ３、…に印加されるゲートオン電圧パルスとの重畳期間Ｔａと非重畳期間Ｔｂの比は適切に調節できる。該当画素ＰＸが目標電圧に到達するために直前奇数番目行の出力映像データＤＡＴと直後奇数番目行の出力映像データＤＡＴにＷ１：Ｗ２の加重値を与えなければならない場合、重畳期間Ｔａと非重畳期間Ｔｂの比はほぼＷ１：Ｗ２であってもよい。例えば、データ電圧Ｖｄの時間的補間値が平均値でなければならない場合、ＴａとＴｂの比はほぼ１：１であってもよい。
【００８０】
図９に示したように、映像の周縁の境界がブラックとホワイトからなる入力映像データＩＤＡＴの場合にも図６および図８に示した駆動方法によって映像を表示すれば、偶数番目ゲート線Ｇ２、Ｇ４、…に接続された画素ＰＸは直前奇数番目ゲート線Ｇ１、Ｇ３、…および直後奇数番目ゲート線Ｇ１、Ｇ３、…に接続された画素ＰＸに対する出力映像データＤＡＴの補間値に対応する電圧で充電される。したがって、映像の周縁で互いに異なる階調のほぼ中間値に対応する輝度で満たされて観察される領域が生じる。これにより、映像の周縁が階段のように見えることが緩和され階段現象緩和効果を得ることができ、映像が滑らかになり画素ＰＸが浮き出さなく見え、視覚的にも高い解像度として感じられる。
【００８１】
この時、階段現象緩和効果は、ゲートダブリング駆動にも拘らず、図９に示したように一つの画素ＰＸ単位で得られる。また、偶数番目ゲート線Ｇ２、Ｇ４、…に印加されるゲート信号の時間的移動を通じた補間駆動によって偶数番目ゲート線Ｇ２、Ｇ４、…に接続された画素ＰＸは二つ以上の出力映像データＤＡＴの補間値に対応する電圧で充電されるので、出力映像データＤＡＴをアップスケーリング（ｕｐｓｃａｌｉｎｇ）する効果も得ることができ、高い解像度の映像が観察され得る。
【００８２】
本実施形態について今までは偶数番目ゲート線Ｇ２、Ｇ４、…に印加されるゲート信号の移動についてのみ説明したが、これに限定されず、奇数番目ゲート線Ｇ１、Ｇ３、…に印加されるゲートオン電圧のパルスを時間的に後に移動して奇数番目ゲート線Ｇ１、Ｇ３、…に接続された画素ＰＸが時間的補間による電圧で充電されてもよい。
【００８３】
以下、図６乃至図８と共に図１０乃至図１２を参照して、前述した偶数番目ゲート線Ｇ２、Ｇ４、…に印加されるゲートオン電圧パルスの直前奇数番目ゲート線Ｇ１、Ｇ３、…に印加されるゲートオン電圧パルスとの重畳期間Ｔａおよび非重畳期間Ｔｂの比を決定する方法の例について説明する。
【００８４】
偶数番目ゲート線Ｇ２、Ｇ４、…に印加されるゲート信号の移動を通じて画素ＰＸに時間的に分割されて印加される二つの出力映像データＤＡＴがそれぞれホワイト階調とブラック階調である場合を例とする。この時、偶数番目ゲート線Ｇ２、Ｇ４、…に接続された画素ＰＸはホワイト階調のほぼ１／２の輝度を示すようにゲート信号の重畳期間Ｔａを決定することができる。このために、まず、図１０に示すように、ホワイト階調の最高輝度のほぼ半分（ｈａｌｆ）に対応するハーフ電圧Ｖｈａｌｆを探す。
【００８５】
次に、図１１に示すように、本発明の一実施形態による表示装置の画素ＰＸが直前フレームでブラック階調の映像を表示した後、本フレームでホワイト階調に対応するデータ電圧を画素ＰＸに印加した時、時間による充電電圧のグラフを用いてハーフ電圧Ｖｈａｌｆまで画素ＰＸを充電するのに必要なハーフ充電時間Ｔ１を求める。
【００８６】
同様に、図１２に示すように、画素ＰＸが直前フレームでホワイト階調の映像表示した後、本フレームでブラック階調に対応するデータ電圧を画素ＰＸに印加した時、時間による充電電圧のグラフを用いてハーフ電圧Ｖｈａｌｆまで画素ＰＸを放電するのに必要なハーフ放電時間Ｔ２を求める。ハーフ充電時間Ｔ１とハーフ放電時間Ｔ２は、表示装置１の条件によって変わってもよい。
【００８７】
図１１および図１２で求めたハーフ充電時間Ｔ１およびハーフ放電時間Ｔ２を用いて偶数番目ゲート線Ｇ２、Ｇ４、…に接続された画素ＰＸがホワイト階調のほぼ１／２の輝度を示すように重畳期間Ｔａと非重畳期間Ｔｂの比を決めることができる。例えば、一番目ゲート線Ｇ１に接続された画素ＰＸに対する出力映像データＤＡＴ＿Ｇ１がホワイト階調であり、三番目ゲート線Ｇ３に接続された画素ＰＸに対する出力映像データＤＡＴ＿Ｇ３がブラック階調である時、二番目ゲート線Ｇ２に印加されるゲートオン電圧パルスの重畳期間Ｔａと非重畳期間Ｔｂの比はハーフ充電時間Ｔ１とハーフ放電時間Ｔ２の比とほぼ同一であってもよい。
【００８８】
これとは反対に、一番目ゲート線Ｇ１に接続された画素ＰＸに対する出力映像データＤＡＴ＿Ｇ１がブラック階調であり、三番目ゲート線Ｇ３に接続された画素ＰＸに対する出力映像データＤＡＴ＿Ｇ３がホワイト階調である時、二番目ゲート線Ｇ２に印加されるゲートオン電圧パルスの重畳期間Ｔａと非重畳期間Ｔｂの比はハーフ放電時間Ｔ２とハーフ充電時間Ｔ１の比とほぼ同一であってもよい。
【００８９】
以下、図１３乃至図１７を参照して本発明の一実施形態による表示装置およびその駆動方法について説明する。本発明の一実施形態による表示装置およびその駆動方法は前述の実施形態による表示装置およびその駆動方法と大部分が同一であるので、同一な説明は省略し差異点を中心に説明する。
【００９０】
図１３乃至図１５に示すように、本発明の一実施形態による表示装置の駆動方法では、ゲートダブリング駆動時、奇数行圧縮データ（または奇数行補間圧縮データ）と偶数行圧縮データ（または偶数行補間圧縮データ）を交互にデータ駆動部５００に入力し、それによるデータ電圧Ｖｄを画素ＰＸに印加することができる。これは前述の図２および図３に示した実施形態と同一である。
【００９１】
即ち、入力映像データＩＤＡＴ＿Ｇ１、…、ＩＤＡＴ＿Ｇ６に対して、１フレームＦ（Ｎ）では奇数行圧縮データまたは奇数行補間圧縮データの出力映像データＤＡＴ＿Ｇ１、ＤＡＴ＿Ｇ３、ＤＡＴ＿Ｇ５のデータ電圧が順に入力され、その次のフレームＦ（Ｎ＋１）では偶数行圧縮データまたは偶数行補間圧縮データの出力映像データＤＡＴ＿Ｇ２、ＤＡＴ＿Ｇ４、ＤＡＴ＿Ｇ６が順に入力される。例えば一つのフレーム中における大きな番号のゲート線用の出力映像データＤＡＴＡが次のフレームの低い番号のゲート線に対して影響を与えないために、隣接のフレームＦ（Ｎ）、Ｆ（Ｎ＋１）の間には出力映像データＤＡＴが入力されない垂直ブランク期間ＶＢが位置する。
【００９２】
これと共に、一般的なゲートダブリング駆動と異なり、フレームＦ（Ｎ）では前述の図６乃至図１２に示した実施形態とほぼ同じように駆動されてもよい。具体的には、偶数番目ゲート線Ｇ２、Ｇ４、…に印加されるゲートオン電圧パルスの印加開始点を、直前奇数番目ゲート線Ｇ１、Ｇ３、…にゲートオン電圧Ｖｏｎが印加され始める時点と、真下の奇数番目ゲート線Ｇ１、Ｇ３、…にゲートオン電圧Ｖｏｎが印加され始める時点との間に配置してもよい。
【００９３】
フレームＦ（Ｎ＋１）では奇数番目ゲート線Ｇ１、Ｇ３、…に印加されるゲートオン電圧パルスの印加開始点を前に移動させて、直前偶数番目ゲート線Ｇ２、Ｇ４、…にゲートオン電圧Ｖｏｎが印加され始める時点と、真下の偶数番目ゲート線Ｇ２、Ｇ４、…にゲートオン電圧Ｖｏｎが印加され始める時点との間に配置してもよい。このようなフレームＦ（Ｎ）とフレームＦ（Ｎ＋１）は交互になっていてもよい。
【００９４】
これにより、図１５に示すように、奇数行圧縮データ（または奇数行補間圧縮データ）が入力されるフレームＦ（Ｎ）では、奇数番目ゲート線Ｇ１、Ｇ３、…に接続された画素ＰＸには元来対応する出力映像データＤＡＴ＿Ｇ１、ＤＡＴ＿Ｇ３、ＤＡＴ＿Ｇ５のデータ電圧が印加され、偶数番目ゲート線Ｇ２、Ｇ４、…に接続された画素ＰＸには直前奇数番目画素行の画素ＰＸに対する出力映像データＤＡＴ＿Ｇ１、…ＤＡＴ＿Ｇ５のデータ電圧および直後奇数番目画素行の画素ＰＸに対する出力映像データＤＡＴ＿Ｇ１、…ＤＡＴ＿Ｇ５のデータ電圧が時間的に分割されて印加される。結局、偶数番目ゲート線Ｇ２、Ｇ４、…に接続された画素ＰＸは、二つの出力映像データの間の値に対応するデータ電圧で充電されることができる。
【００９５】
また、偶数行圧縮データ（または偶数行補間圧縮データ）が入力されるフレームＦ（Ｎ＋１）では、偶数番目ゲート線Ｇ２、Ｇ４、…に接続された画素ＰＸには元来対応する出力映像データＤＡＴ＿Ｇ２、ＤＡＴ＿Ｇ４、ＤＡＴ＿Ｇ６のデータ電圧が印加され、奇数番目ゲート線Ｇ１、Ｇ３、…に接続された画素ＰＸには直前偶数番目画素行の画素ＰＸに対する出力映像データＤＡＴ＿Ｇ２、…ＤＡＴ＿Ｇ６のデータ電圧および直後偶数番目画素行の画素ＰＸに対する出力映像データＤＡＴ＿Ｇ２、…ＤＡＴ＿Ｇ６のデータ電圧が時間的に分割されて印加される。結局、奇数番目ゲート線Ｇ１、Ｇ３、…に接続された画素ＰＸは、二つの出力映像データの間の値に対応するデータ電圧で充電されることができる。
【００９６】
図１３および図１４に示したように、フレームＦ（Ｎ＋１）では、一番目ゲート線Ｇ１にゲートオン電圧Ｖｏｎが印加される期間は垂直ブランク期間ＶＢと一部分重畳するので、一番目ゲート線Ｇ１に接続された画素ＰＸに印加される時間的に補間された電圧は、出力映像データＤＡＴ＿Ｇ１より小さい値、例えばほぼ１／２であってもよい。
【００９７】
このようにフレームＦ（Ｎ）とフレームＦ（Ｎ＋１）を交互にすれば、ｉ番目ゲート線Ｇｉに接続された画素ＰＸに実質的に印加される電圧は、元来対応する出力映像データＤＡＴ＿Ｇｉ、直前ゲート線Ｇ（ｉ−１）に接続された画素ＰＸに対応する出力映像データＤＡＴ＿Ｇ（ｉ−１）、そして直後ゲート線Ｇ（ｉ＋１）に接続された画素ＰＸに対応する出力映像データＤＡＴ＿Ｇ（ｉ＋１）を補間した値に対応する電圧と実質的に同一にすることができる。より具体的には、図１３に示すように、ｉ番目ゲート線Ｇｉに接続された画素ＰＸに実質的に印加される電圧は、出力映像データＤＡＴ＿Ｇｉ、直前ゲート線Ｇ（ｉ−１）に接続された画素ＰＸに対応する出力映像データＤＡＴ＿Ｇ（ｉ−１）、そして直後ゲート線Ｇ（ｉ＋１）に接続された画素ＰＸに対応する出力映像データＤＡＴ＿Ｇ（ｉ＋１）にそれぞれ２、１、１の加重値（ｗｅｉｇｈｔ）を与えて平均した値に対応する電圧と実質的に同一であってもよい。
【００９８】
即ち、直前ゲート線に接続された画素、該当ゲート線に接続された画素、そして直後ゲート線に接続された画素に対応する入力映像データＩＤＡＴに０．２５：０．５：０．２５のフィルターをかけたものと実質的に同一な出力映像データＤＡＴのデータ電圧の印加を受けたのと同様の結果が得られる。
【００９９】
この他に、前述の実施形態の様々な特徴が本実施形態にも同様に適用される。例えば、偶数番目ゲート線Ｇ２、Ｇ４、…または奇数番目ゲート線Ｇ１、Ｇ３、…に印加されるゲートオン電圧Ｖｏｎが移動して直前ゲート線Ｇ１−Ｇｎのゲートオン電圧パルスと重畳する重畳期間Ｔａおよび非重畳期間Ｔｂの比は前述の実施形態と同様な方法で決定できる。
【０１００】
図１６に示したように、各ゲート線Ｇ１〜Ｇ６に接続された画素ＰＸに対応する入力映像データＩＤＡＴの階調の映像を表示しようとする時、本実施形態による駆動方法によれば、図１７に示したように交互になっている二つのフレームＦ（Ｎ）、Ｆ（Ｎ＋１）によって映像の周縁が階段のように見えることが緩和され、映像が滑らかになり視覚的にも高い解像度に感じられる。また、全体解像度の全ての出力映像データＤＡＴのデータ電圧が印加されるので、高解像度の画質が得られる。
【０１０１】
以下、図１８乃至図２１を参照して本発明の一実施形態による表示装置およびその駆動方法について説明する。
【０１０２】
図１８乃至図２０に示すように、本発明の一実施形態による表示装置の駆動方法では、奇数行圧縮データ（または奇数行補間圧縮データ）または偶数行圧縮データ（または偶数行補間圧縮データ）などの圧縮された出力映像データＤＡＴを一定にデータ駆動部５００に入力し、それによるデータ電圧Ｖｄを画素ＰＸに印加してもよい。本実施形態では、一定に奇数行圧縮データをデータ駆動部５００に出力する場合を例として挙げて説明する。
【０１０３】
本発明の一実施形態による表示装置の駆動方法では、二つ以上の隣接したゲート線Ｇ１−Ｇｎを同時に駆動するゲートダブリング駆動を行うが、一つの出力映像データＤＡＴ＿Ｇ１、…、ＤＡＴ＿Ｇ６に対応してゲートオン電圧パルスを伝達するｋ個の隣接のゲート線Ｇ１−Ｇｎがフレームごとに変わってもよい。具体的には、一つの出力映像データＤＡＴ＿Ｇ１、…、ＤＡＴ＿Ｇ６に対応してゲートオン電圧パルスを伝達するｋ個の隣接のゲート線Ｇ１−Ｇｎのうちの一部は、その次のフレームでそれ以前の出力映像データまたはそれ以後の出力映像データに対応してゲートオン電圧パルスを伝達してもよい。
【０１０４】
例えば、一つの出力映像データＤＡＴ＿Ｇ３に対応して駆動されるｋ個のゲート線Ｇ１−Ｇｎが、フレームＦ（Ｎ）では三番目ゲート線Ｇ３および四番目ゲート線Ｇ４であり、その次のフレームＦ（Ｎ＋１）ではその位置が変わって二番目ゲート線Ｇ２および三番目ゲート線Ｇ３であってもよい。
【０１０５】
より具体的には、偶数番目ゲート線Ｇ２、Ｇ４、…にゲートオン電圧パルスが印加される時点を、フレームＦ（Ｎ）では直前奇数番目ゲート線Ｇ１、Ｇ３、…にゲートオン電圧パルスが印加される時点と同時とし、その次のフレームＦ（Ｎ＋１）では直後奇数番目ゲート線Ｇ１、Ｇ３、…にゲートオン電圧パルスが印加される時点と同時とし、このような二つのフレームＦ（Ｎ）、Ｆ（Ｎ＋１）を交互に駆動する。そうすると、視覚的な補間によって図１８に示したように、偶数番目ゲート線Ｇ２、Ｇ４、…に接続された画素ＰＸは直前奇数行のゲート線Ｇ１、Ｇ３、…に接続された画素ＰＸに対応する出力映像データと直後奇数行のゲート線Ｇ１、Ｇ３、…に接続された画素ＰＸに対応する出力映像データの補間された値、例えば平均された値に対する電圧で充電されたものと同一の平均輝度を示すことができる。
【０１０６】
例えば、第２ゲート線Ｇ２に接続された画素ＰＸは、フレームＦ（Ｎ）で印加を受けた出力映像データＤＡＴ＿Ｇ１に対するデータ電圧Ｖｄと、フレームＦ（Ｎ＋１）で印加を受けた出力映像データＤＡＴ＿Ｇ３に対するデータ電圧Ｖｄとの時間的平均Ａｖｇ（ＤＡＴ＿Ｇ１、ＤＡＴ＿Ｇ３）の印加を受けたものと実質的に同一な輝度の映像を表示することができる。
【０１０７】
奇数番目ゲート線Ｇ１、Ｇ３、…に接続された画素ＰＸには、時間的に平均した後にも該当画素ＰＸに対応する出力映像データＤＡＴ＿Ｇ１、ＤＡＴ＿Ｇ３、…に対応する電圧で充電される。
【０１０８】
本実施形態では偶数番目ゲート線Ｇ２、Ｇ４、…に印加されるゲートオン電圧パルスの印加時点がフレームごとに交互になっていることを例として挙げて説明したが、これに限定されるのではなく、奇数番目ゲート線Ｇ１、Ｇ３、…に印加されるゲートオン電圧パルスの印加時点がフレームごとに交互になってもよい。
【０１０９】
本実施形態によれば、ゲートダブリング駆動で垂直解像度が１／ｋ（例えば１／２）に減った映像を、各画素ＰＸ単位で垂直にフレーム別に振動させたものと同一の効果を得ることができる。
【０１１０】
図２１に示すように、前述の図１６に示したような入力映像データＩＤＡＴに対する映像を表示しようとする時、本実施形態による駆動方法によれば、交互になっている二つのフレームＦ（Ｎ）、Ｆ（Ｎ＋１）の映像は時間的に平均化されて（ＡＶＧ）、映像の周縁が階段のように見えることが緩和される階段現象緩和（ａｎｔｉ−ａｌｉａｓｉｎｇ）効果を得ることができ、視覚的にも高い解像度に感じられる。
【０１１１】
以下、図２２乃至図２５を参照して本発明の一実施形態による表示装置およびその駆動方法について説明する。
【０１１２】
図２２乃至図２４に示すように、本発明の一実施形態による表示装置１の駆動方法では、ゲートダブリング駆動時、奇数行圧縮データ（または奇数行補間圧縮データ）と偶数行圧縮データ（または偶数行補間圧縮データ）を交互にデータ駆動部５００に入力し、それによるデータ電圧Ｖｄを画素ＰＸに印加してもよい。例えば、フレームＦ（Ｎ）では奇数行圧縮データ（または奇数行補間圧縮データ）を順に入力し、その後、フレームＦ（Ｎ＋１）では偶数行圧縮データ（または偶数行補間圧縮データ）を順に入力してもよい。
【０１１３】
ゲート線Ｇ１−Ｇｎの駆動方法は、前述の図１８乃至図２１に示した実施形態と大部分が同一である。即ち、本発明の一実施形態による表示装置の駆動方法では、二つ以上の隣接したゲート線Ｇ１−Ｇｎを同時に駆動するゲートダブリング駆動を行うが、偶数番目ゲート線Ｇ２、Ｇ４、…にゲートオン電圧パルスが印加される時点を、フレームＦ（Ｎ）では直前奇数番目ゲート線Ｇ１、Ｇ３、…にゲートオン電圧パルスが印加される時点と同時とし、その次のフレームＦ（Ｎ＋１）では直後奇数番目ゲート線Ｇ１、Ｇ３、…にゲートオン電圧パルスが印加される時点と同時とし、このような二つのフレームＦ（Ｎ）、Ｆ（Ｎ＋１）を交互に駆動する。
【０１１４】
そうすると、時間的な補間によって図２２に示したように、各ゲート線Ｇ１、Ｇ２、…に接続された画素ＰＸは該当出力映像データと直後行のゲート線Ｇ２、Ｇ３、…に接続された画素ＰＸに対応する出力映像データの補間された値、例えば平均された値に対する電圧で充電されたものと同一の平均輝度を示すことができる。
【０１１５】
これによれば、フレームＦ（Ｎ）、Ｆ（Ｎ＋１）が交互になっていることによる時間的な補間効果によって解像度が増加した効果を得ることができる。図２５に示すように、前述の図１６に示したような入力映像データＩＤＡＴに対する映像を表示しようとする時、交互になっている二つのフレームＦ（Ｎ）、Ｆ（Ｎ＋１）の映像は時間的に平均化され（ＡＶＧ）、映像の周縁が階段のように見えることが緩和される階段現象緩和（ａｎｔｉ−ａｌｉａｓｉｎｇ）効果が得られ、視覚的にも高い解像度に感じられる。また、ゲートダブリング駆動で垂直解像度が１／２になった映像を各画素ＰＸ単位で垂直にフレーム別に振動させたものと同一の効果が得られる。
【０１１６】
交互になっているフレームＦ（Ｎ）、Ｆ（Ｎ＋１）で表示される映像はそれぞれ奇数行圧縮データおよび偶数行圧縮データであるので、全体画素ＰＸの入力映像データＩＤＡＴを全て表示できる。このため、高い解像度の映像が表示され画質を向上することができる。即ち、該当ゲート線に接続された画素および直後ゲート線に接続された画素に対応する入力映像データＩＤＡＴに０．５：０．５のフィルターをかけたものと実質的に同一な出力映像データＤＡＴのデータ電圧の印加を受けたものと同一の結果が得られる。
【０１１７】
以下、図２６乃至図２８を参照して本発明の一実施形態による表示装置およびその駆動方法について説明する。
【０１１８】
本発明の一実施形態による表示装置の駆動方法は前述の図２２乃至図２５に示した実施形態による駆動方法と大部分が同一であるが、奇数番目ゲート線Ｇ１、Ｇ３、…にゲートオン電圧パルスが印加される時点を、フレームＦ（Ｎ）では直後偶数番目ゲート線Ｇ２、Ｇ４、…にゲートオン電圧パルスが印加される時点と同時とし、その次のフレームＦ（Ｎ＋１）では直前偶数番目ゲート線Ｇ２、Ｇ４、…にゲートオン電圧パルスが印加される時点と同時とし、このような二つのフレームＦ（Ｎ）、Ｆ（Ｎ＋１）を交互に駆動する。したがって、フレームＦ（Ｎ＋１）では一番目ゲート線Ｇ１にゲートオン電圧Ｖｏｎが印加される期間は垂直ブランク期間ＶＢと重畳するので、一番目ゲート線Ｇ１に接続された画素ＰＸに実質的に印加される時間補間された電圧は出力映像データＤＡＴ＿Ｇ１より小さい値、例えば、ほぼ１／２であってもよい。
【０１１９】
そうすると、時間的な補間によって図２６に示したように、各ゲート線Ｇ１、Ｇ２、…に接続された画素ＰＸは該当出力映像データと直前行のゲート線Ｇ１、Ｇ２、…に接続された画素ＰＸに対応する出力映像データの補間された値、例えば平均された値に対する電圧で充電されたものと同一の平均輝度を示すことができる。前述の図２２乃至図２５に示した実施形態の様々な特徴および効果が本実施形態にも同一に適用される。
【０１２０】
以下、図２９を参照して本発明の一実施形態による表示装置およびその駆動方法について説明する。
【０１２１】
本実施形態による表示装置の駆動方法は、前述の図６乃至図１２に示した実施形態による駆動方法と大部分が同一であるが、隣接の二つのフレームＦ（Ｎ）、Ｆ（Ｎ＋１）で偶数番目ゲート線Ｇ２、Ｇ４、…に印加されるゲートオン電圧Ｖｏｎパルスの移動量が互いに異なってもよい。即ち、図２９に示すようにフレームＦ（Ｎ）で偶数番目ゲート線Ｇ２、Ｇ４、…に印加されるゲートオン電圧パルスのうちの直前奇数番目ゲート線Ｇ１、Ｇ３、…に印加されるゲートオン電圧パルスとの重畳期間Ｔａ１はその次のフレームＦ（Ｎ＋１）での重畳期間Ｔａ２と異なってもよい。
【０１２２】
本実施形態によれば、偶数番目ゲート線Ｇ２、Ｇ４、…の時間的移動による映像データの垂直的補間効果と共に、時間的移動量をフレームによって交互にすることによる時間的補間効果が同時に得られる。例えば図２９に示すように、Ｔａ１：Ｔａ２の比はα：β（ここでα＋β＝１であることが水平期間を表す）でもよい。
【０１２３】
本実施形態とは異なり、奇数番目ゲート線Ｇ１、Ｇ３、…に印加されるゲートオン電圧パルスの印加開始点を前に移動させて直前偶数番目ゲート線Ｇ２、Ｇ４、…にゲートオン電圧Ｖｏｎが印加され始める時点と真下の偶数番目ゲート線Ｇ２、Ｇ４、…にゲートオン電圧Ｖｏｎが印加され始める時点の間に位置させ、その時間的移動量が異なるフレームを交互に駆動してもよい。
【０１２４】
また、本実施形態とは異なり、奇数行圧縮データ（または奇数行補間圧縮データ）と偶数行圧縮データ（または偶数行補間圧縮データ）を交互にデータ駆動部５００に入力し、それによるデータ電圧Ｖｄを画素ＰＸに印加してもよい。
【０１２５】
以下、前述の図面と共に図３０および図３１を参照して本発明の一実施形態による表示装置およびその駆動方法について説明する。
【０１２６】
図３０に示すように、本発明の一実施形態による表示装置１は前述の図１に示した実施形態による表示装置１と大部分が同一であるが、グラフィック制御部７００、表示板３００に光を提供するバックライト９００、バックライト９００を制御するバックライト制御部９５０、そして立体映像変換部材６０をさらに含んでもよい。前述の実施形態との差異点を中心に説明する。
【０１２７】
グラフィック制御部７００は、外部から映像情報ＤＡＴＡおよびモード選択情報ＳＥＬなどの入力を受けてもよい。モード選択情報ＳＥＬは映像を２Ｄモードで表示するか３Ｄモードで表示するかに対する２Ｄ／３Ｄモードに関する選択情報などを含むことができる。グラフィック制御部７００は、映像情報ＤＡＴＡおよびモード選択情報ＳＥＬに基づいて入力映像データＩＤＡＴおよび入力映像データＩＤＡＴの表示を制御する入力制御信号ＩＣＯＮを生成する。グラフィック制御部７００は、モード選択情報ＳＥＬが３Ｄモードを選択するとの情報を含む場合、３Ｄイネーブル信号３Ｄ＿ｅｎをさらに生成することができる。入力映像データＩＤＡＴ、および入力制御信号ＩＣＯＮと３Ｄイネーブル信号３Ｄ＿ｅｎは信号制御部６００に伝達される。３Ｄイネーブル信号３Ｄ＿ｅｎは表示装置が３Ｄモードで動作し立体映像が表示されるように指示し、省略されてもよい。
【０１２８】
信号制御部６００は、ゲート制御信号ＣＯＮＴ１とデータ制御信号ＣＯＮＴ２以外に立体映像制御信号ＣＯＮＴ３およびバックライト制御信号ＣＯＮＴ４なども生成する。信号制御部６００は立体映像制御信号ＣＯＮＴ３を立体映像変換部材６０に伝達し、バックライト制御信号ＣＯＮＴ４をバックライト制御部９５０に伝達する。
【０１２９】
信号制御部６００は、グラフィック制御部７００から入力を受けた３Ｄイネーブル信号３Ｄ＿ｅｎによって２Ｄ映像を表わす２Ｄモードまたは３Ｄ映像を表わす３Ｄモードで動作できる。３Ｄモードでは、出力映像データＤＡＴは互いに異なる視点の映像信号を含んでもよい。３Ｄモードでは、表示板３００の一画素ＰＸは互いに異なる視点の映像信号に対応するデータ電圧を交互に表示するか、互いに異なる画素ＰＸが互いに異なる視点の映像信号に対応するデータ電圧を表示することができる。
【０１３０】
立体映像変換部材６０は立体映像表示を実現するためのものであって、互いに異なる視点に各視点に対応する映像が認識されるようにすることができる。立体映像変換部材６０は表示板３００に同期して動作してもよい。
【０１３１】
例えば、立体映像変換部材６０は、観察者の左眼に左眼用映像（「左眼映像」という）が入射するようにし、右眼に右眼用映像（「右眼映像」という）が入射するようにして、両眼視差が発生するようにすることができる。即ち、立体映像変換部材６０は、互いに異なる視点にそれぞれ異なる映像が入力されるようにすることによって観察者が立体感を感じるようにする。
【０１３２】
図３１に示すように、立体映像変換部材６０は、一観察者の両眼が互いに異なる映像を観察できるようにするシャッターメガネ６０ａ１、６０ａ２を含んでもよい。表示板３００の画素ＰＸは第１視点ＶＷ１に対する出力映像データＤＡＴ１と第２視点ＶＷ２に対する出力映像データＤＡＴ２を互いに異なる時間に表示し、観察者は表示板３００に同期されて動作するシャッターメガネ６０ａ１、６０ａ２を通じて互いに異なる視点の第１時点ＶＷ１および第２視点ＶＷ２でそれぞれの映像を観察することができる。第１視点ＶＷ１のシャッターメガネ６０ａ１および第２視点ＶＷ２のシャッターメガネ６０ａ２は互いに異なるタイミングにオン（ｏｎ）／オフ（ｏｆｆ）されてもよい。
【０１３３】
眼鏡式立体映像表示装置で、互いに異なる観察者がそれぞれ第１視点ＶＷ１および第２視点ＶＷ２でシャッターメガネ６０ａ１、６０ａ２を通じてそれぞれの映像を観察してもよく、一観察者の左眼および右眼がそれぞれ第１視点ＶＷ１と第２視点ＶＷ２でシャッターメガネ６０ａ１、６０ａ２を通じて左眼映像および右眼映像を観察してもよい。
【０１３４】
例えば、表示板３００が第１視点ＶＷ１に該当する左眼映像と第２視点ＶＷ２に該当する右眼映像を交互に表示すれば、シャッターメガネ６０ａ１およびシャッターメガネ６０ａ２がこれに同期して交互に光を透過および遮断することができる。そうすると、観察者はシャッターメガネ６０ａ１、６０ａ２を通じて表示板３００の映像を立体映像として認識することができる。
【０１３５】
このように互いに異なる視点の映像を表示しなければならない立体映像表示装置の場合、フリッカーのない正常な立体映像を表示するために２次元映像を表示する場合に比べて少なくとも２倍以上のフレーム速度が必要である。ヒトの目の特性上、少なくとも６０Ｈｚのフレーム速度が確保されなければならないので、左眼映像および右眼映像を表示する立体映像表示装置であれば、少なくとも１２０Ｈｚのフレーム速度、さらにクロストークを減らすために少なくとも２４０Ｈｚのフレーム速度が必要である。このようにフレーム速度を高めるために前述のようなゲートダブリング駆動方式を用いて充電率を確保しながらフレーム速度を高めることができる。
【０１３６】
このようにゲートダブリング駆動方式で立体映像を表示する表示装置が互いに異なる視点の映像を交互に表示する場合にも前述の様々な実施形態を適用して映像の階段現象を緩和することができる。
【０１３７】
この場合、前述のフレームＦ（Ｎ）の映像データとフレームＦ（Ｎ＋１）の映像データは同一視点での隣接したフレーム映像であってもよい。即ち、フレームＦ（Ｎ）の映像データとフレームＦ（Ｎ＋１）の映像データはそれぞれ左眼映像のＮ番目フレームの映像データおよび（Ｎ＋１）番目フレームの映像データであるか、右眼映像のＮ番目フレームの映像データおよび（Ｎ＋１）番目フレームの映像データであってもよい。この場合、同一視点での時間的な補間（例えば、平均）で映像の階段現象緩和効果が得られる。
【０１３８】
これとは異なり、フレームＦ（Ｎ）の映像データとフレームＦ（Ｎ＋１）の映像データは一つの立体映像に対する左眼映像データおよび右眼映像データであってもよい。言い換えると、フレームＦ（Ｎ）の映像データとフレームＦ（Ｎ＋１）の映像データはそれぞれ同一時間での視点変化された映像データ、即ち、Ｎ番目フレームの左眼映像データおよび同一のＮ番目フレームの右眼映像データであってもよい。この場合、観察者の頭脳で互いに異なる視点の映像情報処理による視覚的平均化を通じて映像の階段現象緩和効果が得られる。
【０１３９】
互いに異なる視点の映像を交互に表示する表示装置の場合、前述の様々な実施形態による駆動方法によってフレームを交互にすることは、前述の二つの場合を全て含んでもよい。
【０１４０】
以上説明した実施形態のタイミング図ではプレ充電の場合を説明しなかったが、データ電圧の充電率確保のためにゲートオン電圧パルスを一定時間前に予め印加するプレ充電駆動方法が同時に適用されてもよい。
【０１４１】
また、以上説明した実施形態で二つのゲート線Ｇ１−Ｇｎずつを同時に駆動するゲートダブリング駆動方法について説明したが、これを一般化してｋ（ｋ＞２）個ずつゲート線Ｇ１−Ｇｎを同時に駆動する方法にも同様に本発明の実施形態が適用されてもよい。
【０１４２】
以上で本発明の好ましい実施形態について詳細に説明したが、本発明の権利範囲はこれに限定されるのではなく、次の請求範囲で定義している本発明の基本概念を利用した当業者の様々な変形および改良形態も本発明の権利範囲に属する。
【符号の説明】
【０１４３】
６０      立体映像変換部材
６０ａ      シャッターメガネ
３００      表示板
４００      ゲート駆動部
５００      データ駆動部
６００      信号制御部
６６０      フレームメモリ
７００      グラフィック制御部
９００      バックライト
９５０      バックライト制御部
【図１】
2016110115.tif 000003
【図２】
2016110115.tif 000004
【図３】
2016110115.tif 000005
【図６】
2016110115.tif 000006
【図７】
2016110115.tif 000007
【図８】
2016110115.tif 000008
【図１０】
2016110115.tif 000009
【図１１】
2016110115.tif 000010
【図１２】
2016110115.tif 000011
【図１３】
2016110115.tif 000012
【図１４】
2016110115.tif 000013
【図１５】
2016110115.tif 000014
【図１８】
2016110115.tif 000015
【図１９】
2016110115.tif 000016
【図２０】
2016110115.tif 000017
【図２２】
2016110115.tif 000018
【図２３】
2016110115.tif 000019
【図２４】
2016110115.tif 000020
【図２６】
2016110115.tif 000021
【図２７】
2016110115.tif 000022
【図２８】
2016110115.tif 000023
【図２９】
2016110115.tif 000024
【図３０】
2016110115.tif 000025
【図３１】
2016110115.tif 000026
【図４】
2016110115.tif 000027
【図５】
2016110115.tif 000028
【図９】
2016110115.tif 000029
【図１６】
2016110115.tif 000030
【図１７】
2016110115.tif 000031
【図２１】
2016110115.tif 000032
【図２５】
2016110115.tif 000033